(57)【要約】【課題】配信された情報を表示する表示装置を、電力会社の電力使用情報を基にして節電制御するようにした表示制御システムを得る。【解決手段】遠隔制御装置１は、公衆回線５を介して電力会社２の電力使用情報Ｄ１を取得し、表示装置４を制御するための制御条件Ｄ２と制御内容Ｄ３とを対応付けるように予め定義した制御テーブル１１を参照して、電力使用情報Ｄ１に該当する制御内容Ｄ３を生成して、公衆回線５を介して表示制御装置３に送信し、これを受信した表示制御装置３は、制御内容Ｄ３に基づき表示装置４を制御するようにした。【選択図】図１
2013088795.tif 000002
【特許請求の範囲】
【請求項１】
配信された情報を表示する表示装置、
この表示装置の表示を制御する表示制御装置、
及び電力使用情報を公衆回線を介して取得し、その電力使用情報に応じた上記表示装置の制御内容を生成し、上記表示制御装置に送信する遠隔制御装置を備え、
上記遠隔制御装置は、
上記電力使用情報に応じるように設定された上記表示装置の制御条件と、この制御条件に対応する上記表示装置の制御内容とを予め定義した制御テーブルを有し、
上記電力使用情報を取得したとき、上記制御テーブルを参照して、上記取得した電力使用情報に応じた上記表示装置の制御条件を求め、この求めた制御条件に対応する上記表示装置の制御内容を生成して、上記表示制御装置に送信し、
上記表示制御装置は、上記遠隔制御装置から送信された上記表示装置の制御内容に基づき、上記表示装置を制御することを特徴とする表示制御システム。
【請求項２】
上記制御条件は、電力使用率であり、上記表示装置の制御内容は、上記表示装置の電源オンオフ制御であることを特徴とする請求項１記載の表示制御システム。
【請求項３】
上記制御条件は、電力使用率であり、上記表示装置の制御内容は、上記表示装置の輝度制御であることを特徴とする請求項１記載の表示制御システム。
【請求項４】
上記制御条件は、電力使用率であり、上記表示装置の制御内容は、上記表示装置の緊急割り込み映像の制御であることを特徴とする請求項１〜請求項３のいずれか一項記載の表示制御システム。
【発明の詳細な説明】
【技術分野】
【０００１】
この発明は、街頭や駅、公共施設などに設置された複数のディスプレイにＣＭ（映像や情報）を表示する表示制御システムに関するものである。
【背景技術】
【０００２】
従来の映像情報配信システムなどの表示制御システムでは、ネットワークに接続された遠隔制御装置と表示装置からなる構成において、遠隔制御装置から発信される緊急情報を表示装置に割り込み映像として表示するようになっている。（特許文献１参照）
【先行技術文献】
【特許文献】
【０００３】
【特許文献１】特開平１０−２７１３９１号公報（第３〜４頁、図１）
【発明の概要】
【発明が解決しようとする課題】
【０００４】
従来の表示制御システムでは、運用者は電力会社が提供しているホームページなどから電力情報を入手し、電力使用量のピーク時などに、遠方に設置されている表示装置へ節電を促すための映像を割り込み表示させるため、手動にてその都度操作を行う必要があった。
また、表示装置自体の節電を実施するために、運用者が表示装置の輝度を下げたり、電源を落とすといった作業も手動で行う必要があった。
【０００５】
この発明は、上述のような課題を解決するためになされたものであり、配信された情報を表示する表示装置を、電力会社の電力使用情報を基にして節電制御するようにした表示制御システムを得ることを目的とする。
【課題を解決するための手段】
【０００６】
この発明に係わる表示制御システムにおいては、配信された情報を表示する表示装置、この表示装置の表示を制御する表示制御装置、及び電力使用情報を公衆回線を介して取得し、その電力使用情報に応じた表示装置の制御内容を生成し、表示制御装置に送信する遠隔制御装置を備え、遠隔制御装置は、電力使用情報に応じるように設定された表示装置の制御条件と、この制御条件に対応する表示装置の制御内容とを予め定義した制御テーブルを有し、電力使用情報を取得したとき、制御テーブルを参照して、取得した電力使用情報に応じた表示装置の制御条件を求め、この求めた制御条件に対応する表示装置の制御内容を生成して、表示制御装置に送信し、表示制御装置は、遠隔制御装置から送信された表示装置の制御内容に基づき、表示装置を制御するものである。
【発明の効果】
【０００７】
この発明によれば、配信された情報を表示する表示装置、この表示装置の表示を制御する表示制御装置、及び電力使用情報を公衆回線を介して取得し、その電力使用情報に応じた表示装置の制御内容を生成し、表示制御装置に送信する遠隔制御装置を備え、遠隔制御装置は、電力使用情報に応じるように設定された表示装置の制御条件と、この制御条件に対応する表示装置の制御内容とを予め定義した制御テーブルを有し、電力使用情報を取得したとき、制御テーブルを参照して、取得した電力使用情報に応じた表示装置の制御条件を求め、この求めた制御条件に対応する表示装置の制御内容を生成して、表示制御装置に送信し、表示制御装置は、遠隔制御装置から送信された表示装置の制御内容に基づき、表示装置を制御するので、電力使用情報を基にして表示装置を節電制御することができる。
【図面の簡単な説明】
【０００８】
【図１】この発明の実施の形態１による表示制御システムを示す構成図である。
【図２】この発明の実施の形態１による表示制御システムの制御テーブル例を示す図である。
【図３】この発明の実施の形態１による表示制御システムの遠隔制御装置の制御フローを示すフローチャートである。
【図４】この発明の実施の形態２による表示制御システムの制御テーブル例を示す図である。
【図５】この発明の実施の形態３による表示制御システムを示す構成図である。
【図６】この発明の実施の形態３による表示制御システムの制御テーブル例を示す図である。
【発明を実施するための形態】
【０００９】
実施の形態１．
図１は、この発明の実施の形態１による表示制御システムを示す構成図である。
図１において、遠隔制御装置１は一定間隔で電力会社２が提供している電力使用情報Ｄ１を取得する。遠隔制御装置１は、後述する制御条件Ｄ２と制御内容Ｄ３とを対応付けた制御テーブル１１（図２参照）を予め作成しておき、取得した電力使用情報Ｄ１に該当する制御条件Ｄ２を、制御テーブル１１を参照して求め、この制御条件Ｄ２に対応する制御内容Ｄ３（電源）を作成し、公衆回線５を介して、表示制御装置３に通知する。表示制御装置３は、受信した制御内容Ｄ３により表示装置４の表示を制御する。表示装置４は、表示制御装置３によって制御され、配信された情報を表示する。
【００１０】
図２は、この発明の実施の形態１による表示制御システムの制御テーブル例を示す図である。
図２において、制御テーブル１１は、電力使用率により、０〜９０パーセントと、９１〜１００パーセントの制御条件Ｄ２が設定され、この制御条件Ｄ２にそれぞれに対応する制御内容Ｄ３は、０〜９０パーセントの場合が正常放映、９１〜１００パーセントの場合が表示装置の電源をオフにする、になっている。つまり、図２の制御内容Ｄ３は電源のオンオフに係わるものである。
【００１１】
次に、図３を用いて、遠隔制御装置１の制御フローについて説明する。
遠隔制御装置１では、処理開始（Ｓ３０１）後、電力使用情報Ｄ１を電力会社２から公衆回線５を介して取得し、現在の電力使用量と最大電力提供量から現在の電力使用率を求める（Ｓ３０２）。この時の電力使用率が、図２の制御テーブル１１のどの制御条件Ｄ２に含まれるかを判定し（Ｓ３０３）、判定された制御条件Ｄ２に対応する、図２の制御内容Ｄ３（電源）を選定する（Ｓ３０４）。
次いで、Ｓ３０４で選定された制御内容Ｄ３（電源）を、表示制御装置３へ公衆回線５を介して通知する（Ｓ３０５）。
Ｓ３０５で通知完了後、運営終了時刻に達した場合、終了（Ｓ３０７）となり、達していなければ、一定時間後（例えば、５分後）、再度Ｓ３０２からＳ３０６を繰返し処理する。
【００１２】
実施の形態１によれば、図１のように構成された遠隔制御装置１においては、図２のような制御テーブル１１を用いて、図３に示す制御を行うことで、自動的に表示装置４の電源オンオフ制御を行うことができ、節電効果（省エネ）を期待することができる。
すなわち、遠隔制御装置１では電力会社から提供される電力使用情報を収集し、その情報をもとに逼迫した電力使用状況であれば表示装置４の電源を自動的に切断し、電力使用状況がある程度逼迫した状況から脱した際には表示装置４の電源を自動的に復旧すること
で、電力逼迫時における表示装置４の消費電力を抑制することができる。
また、人手による表示装置４の節電のための作業時間を削減するとともに、作業時のヒューマンエラーを削減することができる。
【００１３】
実施の形態２．
図４は、この発明の実施の形態２による表示制御システムの制御テーブル例を示す図である。
図４において、制御テーブル１２は、表示装置の輝度を制御するためのもので、制御条件Ｄ２として、電力使用率の０〜７０パーセント、７１〜８０パーセント、８１〜９０パーセント、９１〜１００パーセントが設定され、この制御条件Ｄ２にそれぞれ対応して、輝度の制御内容Ｄ３として、正常放映、表示装置４の輝度を２分の１にする、表示装置４の輝度を４分の１にする、輝度を最低にする、を設定している。
【００１４】
実施の形態１は、電力使用情報Ｄ１による表示装置４の電源制御について述べたが、実施の形態２は、電力使用情報Ｄ１による輝度制御機能についてのものである。
遠隔制御装置１は、実施の形態１の図３のＳ３０２と同様に、一定間隔で電力使用情報Ｄ１を取得する。
遠隔制御装置１では、取得した電力使用情報Ｄ１に基づいて、電力使用率を計算し、図４の制御テーブル１２を参照して、計算した電力使用率が、該当する制御条件Ｄ２を求め、この制御条件Ｄ２に対応する制御内容Ｄ３（輝度）を得て、表示制御装置３に対し、表示装置４の制御内容Ｄ３（輝度）を通知する。
制御内容Ｄ３（輝度）を受信した表示制御装置３は、表示装置４に受信した制御内容Ｄ３（輝度）による表示を実施させる。
【００１５】
実施の形態２によれば、自動的に表示装置の輝度の制御を行うことができ、節電効果（省エネ）を期待することができる。
【００１６】
実施の形態３．
図５は、この発明の実施の形態３による表示制御システムを示す構成図である。
図５において、１〜５、Ｄ１〜Ｄ３は図１におけるものと同一のものである。図４では、遠隔制御装置１は、電力使用情報Ｄ１から、節電を促す映像（静止画、テロップ）である緊急映像・テロップ情報Ｄ４を作成する。
【００１７】
図６は、この発明の実施の形態３による表示制御システムの制御テーブル例を示す図である。
図６において、制御テーブル１３は、表示装置４の緊急割り込み表示を制御するためのもので、制御条件Ｄ２として、電力使用率の０〜７０パーセント、７１〜８０パーセント、８１〜９０パーセント、９１〜１００パーセントが設定され、この制御条件Ｄ２にそれぞれ対応して、緊急割り込み表示の制御内容Ｄ３として、正常放映、緊急割り込みテロップ「この映像装置は節電のため、輝度を２分の１にして放映しております。節電にご協力ください。」を表示させる、緊急割り込み映像を表示させる、クリア、を設定している。
ここで、クリアは、電源を落とすか、または輝度をゼロにすることにより、画面を真っ黒にする処理である。
【００１８】
実施の形態１及び実施の形態２では、電力使用情報Ｄ１による表示装置４の電源制御、輝度制御について述べたが、実施の形態３は、電力使用情報Ｄ１による緊急映像表示機能についてのものである。
実施の形態３では、遠隔制御装置１は、実施の形態１及び実施の形態２と同様に一定間隔で電力使用情報Ｄ１を取得する。
そして、得られた電力使用情報Ｄ１に基づいて、電力使用率を計算し、制御テーブル１
３を参照して、計算した電力使用率に該当する制御条件Ｄ２を選定するとともに、節電を促す映像（静止画、テロップ）である緊急映像・テロップ情報Ｄ４を作成する。
制御テーブル１３を参照して、制御条件Ｄ２に応じた制御内容Ｄ３を表示制御装置３へ送信し、表示制御装置３により、表示装置４に節電を促す映像（静止画、テロップ）を緊急割り込み映像として表示させる。
【００１９】
実施の形態３によれば、実施の形態１の図２の制御テーブル、または実施の形態２の図４の制御テーブルに加え、図６の制御テーブルを設定しておくことで、作成した映像を表示制御装置３に配信すると、表示制御装置３では、表示装置４に緊急割り込み映像として表示する。
この実施の形態３は、実施の形態１または実施の形態２で述べた機能と併用することで、輝度調整中には表示装置４の節電を行うだけではなく、周りに節電を促す情報を発信することができる。
【００２０】
なお、本発明は、その発明の範囲内において、各実施の形態を自由に組み合わせたり、各実施の形態を適宜、変形、省略することが可能である。
【符号の説明】
【００２１】
１  遠隔制御装置
２  電力会社
３  表示制御装置
４  表示装置
５  公衆回線
１１  制御テーブル
１２  制御テーブル
１３  制御テーブル
Ｄ１  電力使用情報
Ｄ２  制御条件
Ｄ３  制御内容
Ｄ４  緊急映像・テロップ情報
【図１】
2013088795.tif 000003
【図２】
2013088795.tif 000004
【図３】
2013088795.tif 000005
【図４】
2013088795.tif 000006
【図５】
2013088795.tif 000007
【図６】
2013088795.tif 000008